(57)【特許請求の範囲】
【請求項１】
容器の口部に締着されたネジ蓋を取り外す際に使用される開蓋用具セットであって、
前記容器または前記ネジ蓋に装着されるリングと、
前記ネジ蓋に回転トルクを付与するためのキャップオープナーとを備えており、
前記リングは、前記ネジ蓋の周面部に対向するガイド部を有し、
前記キャップオープナーは、前記ネジ蓋に被せられるヘッドと、前記ヘッドから延出したアームとを有し、
前記ヘッドは、前記ネジ蓋と前記ガイド部との間に入り込む当接部と、前記ネジ蓋の頂面部に対向する頂面対向部と、前記頂面対向部に設けられた針部とを有し、
前記当接部は、前記ネジ蓋の周面部に係合又は圧接し、
前記針部は、前記ネジ蓋の頂面部を貫通する、ことを備えることを特徴とする開蓋用具セット。
【請求項２】
前記リングは、その径方向内側に向かって張り出す張出部を備えており、
前記張出部は、前記容器または前記ネジ蓋に係合する、ことを特徴とする請求の範囲第１項に記載の開蓋用具セット。
【請求項３】
前記キャップオープナーは、前記リングの外周に掛止される掛止部を有する、ことを特徴とする請求の範囲第２項に記載の開蓋用具セット。
【請求項４】
容器の口部に締着されたネジ蓋に回転トルクを付与するためのキャップオープナーであって、
前記ネジ蓋に被せられるヘッドと、
前記ヘッドから延出したアームとを備えており、
前記ヘッドは、前記ネジ蓋の周面部に係合又は圧接する当接部と、前記ネジ蓋の頂面部に対向する頂面対向部と、前記頂面対向部に設けられた針部とを有し、
前記頂面対向部は、前記針部の上端部を保持する針固定部を備え、
前記針固定部には貫通孔が形成され、前記貫通孔は前記針固定部を上下に貫通し、
前記針部は管状部材からなり、前記針部の内部空間は前記針固定部の前記貫通孔に通じており、
前記針部は、前記ネジ蓋の頂面部を貫通する、ことを特徴とするキャップオープナー。
【請求項５】
容器の口部に締着されたネジ蓋に回転トルクを付与するためのキャップオープナーであって、
前記ネジ蓋に被せられるヘッドと、
前記ヘッドから延出した一対のアームとを備えており、
前記ヘッドは、上面視Ｃ字状の枠部と、前記枠部に支持された当接部と、前記ネジ蓋の頂面部に対向する頂面対向部と、前記頂面対向部に設けられた針部とを有し、
前記枠部には二つのネジ穴が形成されており、
前記頂面対向部は、前記枠部に取り付けられる横架部と、前記針部の上端部を保持する針固定部と、前記枠部の前記ネジ穴に螺着されるネジとを備え、
前記横架部は、前記枠部に囲まれた空間を跨ぐように配置され、前記横架部の両端部にはネジ挿通孔が形成され、一方のネジ挿通孔は前記ネジ穴同士を結ぶ方向を長軸とする長円形に成形され、前記ネジ挿通孔に前記ネジが挿通されて、前記横架部は前記枠部の上面に固定され、
一方の前記アームは、前記枠部の一方の端部に接続されており、他方の前記アームは、前記枠部の他方の端部に接続されており、
前記枠部は、前記両アームを近接させたときに縮径し、
前記当接部は、前記枠部を縮径させたときに、前記ネジ蓋の周面部に圧接し、
前記針部は、前記ネジ蓋の頂面部を貫通する、ことを特徴とするキャップオープナー。
【発明の詳細な説明】
【技術分野】
【０００１】
本発明は、ネジ蓋を開ける際に使用する開蓋用具セットおよびキャップオープナーに関する。
【背景技術】
【０００２】
焙煎済みのコーヒー豆は、炭酸ガスを放出する性質を有しているので、焙煎済みのコーヒー豆を保管用の容器に充填すると、炭酸ガスによって容器の内圧が高まり、容器に変形等が生じる虞がある。炭酸ガスの放出量が低下するのを待ってから容器に充填するか、あるいは、ガス抜き機構付の容器を使用すれば、内圧の上昇を抑制できるものの、炭酸ガスを放出させると、コーヒー豆に含まれる香り成分も一緒に放出されてしまうので、炭酸ガスの放出量が多くなるに連れて、コーヒーの風味が損なわれてしまう。【０００３】
上記の問題を解決できるコーヒー豆用の蓋付き容器が特許文献１に開示されている。焙煎済みコーヒー豆から放出される炭酸ガスの平衡圧力は、０．２５〜０．３５ＭＰａ程度であるところ、特許文献１の容器は、０．２５〜０．３５ＭＰａよりも大きな内圧に耐えるように構成されているので、焙煎済みのコーヒー豆を密封しても容器に変形が生ずることはなく、容器の内圧が０．２５〜０．３５ＭＰａに達した後は、炭酸ガスおよび香り成分の放出を抑制することができる。【０００４】
ところで、特許文献１の容器では、その口部（開口部）をネジ蓋によって封止している。このネジ蓋は、高いシール性が得られるよう、容器の口部に対して強固に締め付けられているので、コーヒー豆の消費者（容器の使用者）がネジ蓋を緩めるためには相当な握力・腕力が必要となる。特許文献２，３等に開示されたキャップオープナーを使用すれば、腕力の弱い使用者でもスムーズに開蓋することができるが、外気圧よりも内圧が高い状態で使用者が容器のネジ蓋を緩めると、内容物が噴出する虞がある。
【先行技術文献】
【特許文献】
【０００５】
【特許文献１】特開２００９−２４１９４４号公報
【特許文献２】特開２００３−１５５０９９号公報
【特許文献３】特開２００１−１５８５００号公報
【発明の概要】
【発明が解決しようとする課題】
【０００６】
本発明は、上記の問題に鑑みて創案されたものであり、容器の使用者が容器の内圧を確実に減圧することができ、かつ、腕力の弱い使用者でもネジ蓋をスムーズに緩めることができる開蓋用具セットおよびキャップオープナーを提供することを課題とする。
【課題を解決するための手段】
【０００７】
このような課題を解決する本発明に係る開蓋用具セットは、容器の口部に締着されたネジ蓋を取り外す際に使用される開蓋用具セットであって、前記容器または前記ネジ蓋に装着されるリングと、前記ネジ蓋に回転トルクを付与するためのキャップオープナーとを備えており、前記リングは、前記ネジ蓋の周面部に対向するガイド部を有し、前記キャップオープナーは、前記ネジ蓋に被せられるヘッドと、前記ヘッドから延出したアームとを有し、前記ヘッドは、前記ネジ蓋と前記ガイド部との間に入り込む当接部と、前記ネジ蓋の頂面部に対向する頂面対向部と、前記頂面対向部に設けられた針部とを有し、前記当接部は、前記ネジ蓋の周面部に係合又は圧接し、前記針部は、前記ネジ蓋の頂面部を貫通する、ことを備えることを特徴とする。【０００８】
本発明によれば、容器の使用者は、針部をネジ蓋の頂面部に貫入するだけで、容器の内圧を減圧することができる。また、本発明によれば、リングのガイド部とネジ蓋との間に当接部が入り込むので、ヘッドがネジ蓋から脱落し難くなり、したがって、使用者は、針部をネジ蓋の頂面部に押し込む作業を安全且つスムーズに行うことが可能となる。而して、使用者の操作によってネジ蓋の周面部に当接部を係合又は圧接させた後、使用者がアームを旋回させると、当接部を介してネジ蓋に回転トルクが付与されることになるが、力点がネジ蓋から離れた位置となるので、小さな力でもネジ蓋をスムーズに緩めることができる。なお、ネジ蓋の周囲にリングのガイド部を対向させておけば、キャップオープナー以外の手段（例えば、他の工具や素手など）ではネジ蓋を上手く把持することができなくなり、その結果、ネジ蓋に大きな回転トルクを付与し得なくなるので、使用者は、他の工具や素手による強引な開蓋を断念するようになる。すなわち、リングは、キャップオープナー以外の手段による開蓋を阻む障害物となる。【０００９】
前記リングに、その径方向内側に向かって張り出す張出部を設け、前記張出部を前記容器または前記ネジ蓋に係合するとよい。このようにすると、リングが容器またはネジ蓋から脱落し難くなる。【００１０】
前記キャップオープナーには、前記リングの外周に掛止される掛止部を設けるとよい。このようにすると、役割を終えたリングの取り外しが容易になる。容器からリングを取り外すことができれば、開蓋後の容器の使い勝手が向上し、さらに、容器の使用後においては、廃棄物の分別収集に対応し易くなり、ひいては、資源の有効活用（リサイクルやリユース）に貢献することが可能となる。【００１１】
前記課題を解決する本発明に係る第一のキャップオープナーは、容器の口部に締着されたネジ蓋に回転トルクを付与するためのキャップオープナーであって、前記ネジ蓋に被せられるヘッドと、前記ヘッドから延出したアームとを備えており、前記ヘッドは、前記ネジ蓋の周面部に係合又は圧接する当接部と、前記ネジ蓋の頂面部に対向する頂面対向部と、前記頂面対向部に設けられた針部とを有し、前記頂面対向部は、前記針部の上端部を保持する針固定部を備え、前記針固定部には貫通孔が形成され、前記貫通孔は前記針固定部を上下に貫通し、前記針部は管状部材からなり、前記針部の内部空間は前記針固定部の前記貫通孔に通じており、前記針部は、前記ネジ蓋の頂面部を貫通する、ことを特徴とする。
【００１２】
前記課題を解決する本発明に係る第二のキャップオープナーは、容器の口部に締着されたネジ蓋に回転トルクを付与するためのキャップオープナーであって、前記ネジ蓋に被せられるヘッドと、前記ヘッドから延出した一対のアームとを備えており、前記ヘッドは、上面視Ｃ字状の枠部と、前記枠部に支持された当接部と、前記ネジ蓋の頂面部に対向する頂面対向部と、前記頂面対向部に設けられた針部とを有し、前記枠部には二つのネジ穴が形成されており、前記頂面対向部は、前記枠部に取り付けられる横架部と、前記針部の上端部を保持する針固定部と、前記枠部の前記ネジ穴に螺着されるネジとを備え、前記横架部は、前記枠部に囲まれた空間を跨ぐように配置され、前記横架部の両端部にはネジ挿通孔が形成され、一方のネジ挿通孔は前記ネジ穴同士を結ぶ方向を長軸とする長円形に成形され、前記ネジ挿通孔に前記ネジが挿通されて、前記横架部は前記枠部の上面に固定され、一方の前記アームは、前記枠部の一方の端部に接続されており、他方の前記アームは、前記枠部の他方の端部に接続されており、前記枠部は、前記両アームを近接させたときに縮径し、前記当接部は、前記枠部を縮径させたときに、前記ネジ蓋の周面部に圧接し、前記針部は、前記ネジ蓋の頂面部を貫通する、ことを特徴とする。
【００１３】
本発明に係るキャップオープナーによれば、針部をネジ蓋の頂面部に貫入するだけで、容器の内圧を減圧することができる。また、ネジ蓋に回転トルクを付与する際の力点がネジ蓋から離れた位置となるので、小さな力でもネジ蓋をスムーズに緩めることができる。なお、第二のキャップオープナーによれば、一対のアームを近接させるだけで、ネジ蓋の周面部に当接部が圧接するようになるので、ネジ蓋を緩める際の操作が容易になる。
【発明の効果】
【００１４】
本発明によれば、容器の使用者が容器の内圧を確実に減圧することができ、かつ、腕力の弱い使用者でもネジ蓋をスムーズに緩めることができる。
【図面の簡単な説明】
【００１５】
【図１】本発明の実施形態に係る開栓用具セットを示す斜視図である。
【図２】（ａ）はリングの斜視図、（ｂ）はリングの上面図、（ｃ）は（ｂ）のＷ−Ｗ線断面図である。
【図３】（ａ）は本発明の実施形態に係るキャップオープナーを示す分解斜視図、（ｂ）は枠部の上面図である。
【図４】本発明の実施形態に係をキャップオープナーおよびリングを裏返した状態を示す斜視図である。
【図５】（ａ）はヘッドの拡大下面図、（ｂ）は（ａ）のＸ−Ｘ線端面図、（ｃ）は（ａ）のＹ−Ｙ線端面図である。
【図６】ネジ蓋を取り外す手順を説明するための端面図であって、（ａ）はヘッドをネジ蓋の上に配置した状態を示す図、（ｂ）は針部がネジ蓋の頂面部を貫通した状態を示す図である。
【図７】ネジ蓋を取り外す手順を説明するための端面図であって、（ａ）は当接部がネジ蓋の周面部に圧接した状態を示す図、（ｂ）はネジ蓋を取り外した状態を示す図である。
【図８】リングを取り外す手順を説明するための端面図であって、（ａ）はヘッドをネジ蓋に被せた状態を示す図、（ｂ）は掛止部をリングに掛止した状態を示す図、（ｃ）はリングを取り外した状態を示す図である。
【発明を実施するための形態】
【００１６】
本発明の実施形態に係る開蓋用具セットは、図１に示すように、ネジ蓋Ｃ２を取り外す際に使用されるものであり、容器Ｃ１に装着されるリングＡと、ネジ蓋Ｃ２に回転トルクを付与するためのキャップオープナーＢとを備えている。
【００１７】
＜容器およびネジ蓋＞
容器Ｃ１およびネジ蓋Ｃ２は、アルミニウム合金製であり、０．３５ＭＰａ以上の内圧に耐え得るように形成されている。容器Ｃ１には、焙煎済みのコーヒー豆が充填されている。コーヒー豆から放出された炭酸ガスにより、容器Ｃ１の内圧は、０．２５〜０．３５ＭＰａに達する場合がある。
【００１８】
容器Ｃ１の口部は、円筒状を呈していて、口部の外周面には、ネジ山が形成されている。ネジ蓋Ｃ２は、容器Ｃ１を封止するものである。ネジ蓋Ｃ２は、円板状の頂面部Ｃ２１と、頂面部Ｃ２１の縁部に形成された円筒状の周面部Ｃ２２とを備えていて、有蓋円筒状を呈している。周面部Ｃ２２の内周面には、ネジ山が形成されている。ネジ蓋Ｃ２は、容器Ｃ１にコーヒー豆を充填した後に、容器Ｃ１の口部に締着される。
【００１９】
＜リング＞
リングＡは、キャップオープナーＢ以外の手段（例えば、他の工具や人の手など）による開蓋を阻むための障害物であり、焙煎工場において容器Ｃ１の口部に装着される。リングＡは、容器Ｃ１の口部およびネジ蓋Ｃ２に対して回転自在であり、使用者がリングＡを回転させたとしても、回転トルクがネジ蓋Ｃ２に作用することはない。なお、コーヒー豆入りの容器Ｃ１は、その口部にリングＡが装着された状態で、市場を流通し、消費者に届けられる。
【００２０】
リングＡは、図２の（ａ）に示すように、リング本体Ａ１と、リング本体Ａ１から立ち上がる複数のガイド部Ａ２，Ａ２，Ａ２と、リング本体Ａ１からその径方向内側に向かって張り出す複数の張出部Ａ３，Ａ３，…とを備えている。リングＡは、合成樹脂製である。
【００２１】
リング本体Ａ１は、図２の（ｂ）に示すように、円筒部Ａ１１と、円筒部Ａ１１の上端部に形成されたフランジ部Ａ１２とを備えている。フランジ部Ａ１２は、円筒部Ａ１１の外周面から外側に向かって張り出している。図６の（ａ）に示すように、リング本体Ａ１は、ネジ蓋Ｃ２の外径よりも大きな内径に成形されており、リング本体Ａ１の内周面は、ネジ蓋Ｃ２の周面部Ｃ２２の下半部分に対向する。
【００２２】
複数のガイド部Ａ２，Ａ２，Ａ２は、図２の（ａ）に示すように、いずれも曲板状であり、リング本体Ａ１の周方向に間隔をあけて配置されている。図２の（ｂ）に示すように、ガイド部Ａ２，Ａ２，Ａ２は、フランジ部Ａ１２の外縁に沿って配置されている。各ガイド部Ａ２を上から見た形状は、円弧状である。図２の（ｃ）に示すように、各ガイド部Ａ２は、フランジ部Ａ１２の上面から上方に向かって略垂直に立ち上がっている。なお、ガイド部Ａ２を正面から見た形状は、矩形状である。図６の（ａ）に示すように、ガイド部Ａ２は、ネジ蓋Ｃ２の周面部Ｃ２２から離れたところに位置し、ガイド部Ａ２の内周面は、周面部Ｃ２２の上半部分に対向する。
【００２３】
張出部Ａ３は、図２の（ａ）に示すように、円筒部Ａ１１の下端部の内周面から片持ち状（カンチレバー状）に張り出している。張出部Ａ３は、平板状を呈しており、図２の（ｂ）に示すように、張出部Ａ３を上から見た形状は、矩形状である。張出部Ａ３は、円筒部Ａ１１の周方向に間隔をあけて複数配置されている。図６の（ａ）に示すように、張出部Ａ３の先端は、容器Ｃ１の口部の根元に当接あるいは近接し、容器Ｃ２を運搬等している際にリングＡが口部から抜けようとしたときには、容器Ｃ１のネジ山やネジ蓋Ｃ２の下端に係合する。張出部Ａ３を設けておけば、リングＡが外れ難くなるので、リングＡが不意に脱落することを防止することができる。なお、図示は省略するが、容器Ｃ２の口部にフランジや段差が形成されている場合には、フランジ等に張出部Ａ３の先端を係合させてもよい。
【００２４】
＜キャップオープナー＞
キャップオープナーＢは、図１に示すように、ネジ蓋Ｃ２に被せられるヘッドＢ１と、ヘッドＢ１から延出した一対のアームＢ２，Ｂ２とを備えている。キャップオープナーＢは、容器Ｃ１の内圧を減圧する機能、ネジ蓋Ｃ２に回転トルクを付与する機能およびリングＡの取り外しを補助する機能を具備している。
【００２５】
ヘッドＢ１は、上面視Ｃ字状の枠部１と、ネジ蓋Ｃ２の周面部Ｃ２２に圧接する当接部２と、ネジ蓋Ｃ２の頂面部Ｃ２１に対向する頂面対向部３と、頂面部Ｃ２１に貫入可能な針部４と、リングＡの外周に掛止可能な掛止部５とを備えている。また、図４に示すように、ヘッドＢ１の下面には、リングＡのガイド部Ａ２を挿入可能な第一ガイド溝６，６および第二ガイド溝７，７が形成されている。
【００２６】
アームＢ２，Ｂ２は、間隔をあけて並列されている。一方のアームＢ２は、枠部１の一方の端部に接続されており、他方のアームＢ２は、枠部１の他方の端部に接続されている。すなわち、各アームＢ２は、枠部１から片持ち状（カンチレバー状）に延出している。一方のアームＢ２の端部には、矩形枠状のロック部材８ａが取り付けられており、他方のアームＢ２の端部の側面には、ロック部材８ａを掛止するための突起８ｂ，８ｂが形成されている。また、アームＢ２のうち、取っ手（握り）となる部分の上面および下面には、滑り止めとなる複数の凸部９，９，…が並設されている。
【００２７】
両アームＢ２，Ｂ２の離間距離は、枠部１に近づくに従って漸減し、基端部（枠部１に隣接する部位）において最小となる。両アームＢ２，Ｂ２を握り締めて両者を近接させると、枠部１から遠ざかるに従って接近量が大きくなる結果、両アームＢ２，Ｂ２の離間距離は、枠部１に近づくに従って漸増し、基端部において最大となる。なお、アームＢ２，Ｂ２の基端部における離間距離は、両アームＢ２，Ｂ２を近接させた場合の方が、近接させない場合よりも小さくなる。
【００２８】
ヘッドＢ１の枠部１およびアーム２Ｂ，２Ｂは、熱可塑性の樹脂素材（例えば、ポリプロピレンなど）からなり、一つの射出成形品として製造される。
【００２９】
ヘッドＢ１の構成をより具体的に説明する。
以下の説明においては、図３の（ｂ）に示すように、枠部１に囲まれた上面視円形状の空間を「中央開口部Ｖ１」と称し、枠部１の両端部に挟まれた空間を「アーム側開口部Ｖ２」と称する。アーム側開口部Ｖ２の開口幅は、中央開口部Ｖ１の直径よりも小さくなっている。
【００３０】
枠部１は、図３の（ａ）に示すように、一方のアームＢ２の基端から他方のアームＢ２の基端に至る部位であり、上面視した形状がＣ字状となるように湾曲している。枠部１の両端部（アームＢ２，Ｂ２に繋がる部分）は離間している。
【００３１】
本実施形態の枠部１は、外周部１１と、外周部１１の径方向内側に向かって張り出す上板部１２と、外周部１１から当接部２に至る複数のリブ１３，１３，…（図４参照）とを備えている。外周部１１の厚さ寸法（高さ寸法）は、アームＢ２の基端の厚さ寸法と同じであり、上板部１２の厚さ寸法は、アームＢ２の基端の厚さ寸法よりも小さい。外周部１１の外周縁および上板部１２の内周縁は、いずれも円弧状に成形されている。図４に示すように、リブ１３は、第一ガイド溝６，６の間および第一ガイド溝６と第二ガイド溝７との間に形成されている。
【００３２】
枠部１は、アームＢ２，Ｂ２を近接させたときに縮径する。アームＢ２，Ｂ２の取っ手部分を握り締めて両者を近接させる操作を行うと、アームＢ２，Ｂ２の基端部における間隔が狭まるのに連動して枠部１の両端部が近づき、中央開口部Ｖ１（図３の（ｂ）参照）の直径が小さくなるとともに、アーム側開口部Ｖ２（図３の（ｂ）参照）の開口幅が狭まるようになる。なお、アームＢ２，Ｂ２を握り締める力を緩めると、枠部１も元の状態に戻る。
【００３３】
枠部１には、図３の（ａ）に示すように、ネジ穴１ａ，１ａと、保持穴１ｂ，１ｂと、切欠き１ｃとが形成されている。
【００３４】
ネジ穴１ａ，１ａは、図３の（ｂ）に示すように、中央開口部Ｖ１を挟んで対向する領域に形成されている。ネジ孔１ａの中心は、枠部１の外縁部に位置するとともに、中央開口部Ｖ１の中心Ｐを通る直線Ｑ上に位置している。
【００３５】
保持穴１ｂ，１ｂは、直線ＱよりもアームＢ２側の領域に形成されている。図４に示すように、保持穴１ｂ，１ｂは、いずれも、第一ガイド溝６と第二ガイド溝７との間の領域に形成されている。保持穴１ｂは、上面視矩形状の筒状空間であり、枠部１の上下面に開口している。
【００３６】
切欠き１ｃは、図３の（ａ）に示すように、上板部１２の内周縁を上面視Ｕ字状に欠落させた部位であり、図３の（ｂ）に示すように、中央開口部Ｖ１を挟んでアーム側開口部Ｖ２の反対側の領域に形成されている。切欠き１ｃは、中央開口部Ｖ１の中心Ｐとアーム側開口部Ｖ２の幅方向の中央を通る直線（アームＢ２，Ｂ２の中間線）Ｒ上に形成されている。なお、直線Ｒは、直線Ｑに直交している。切欠き１ｃを設けると、切欠き１ｃを設けない場合に比べて枠部１の変形抵抗が低下するので、枠部１を縮径させ易くなる。
【００３７】
当接部２は、図４に示すように、枠部１に支持された下面視円弧状の支持壁部２１と、支持壁部２１の内周面を覆う防滑部２２とを備えている。図６の（ａ）に示すように、当接部２の内径は、ネジ蓋Ｃ２の外径よりも大きく、かつ、リングＡのガイド部Ａ２の内径よりも小さい。
【００３８】
支持壁部２１は、図５の（ａ）にも示すように、外周部１１の内周側に位置しており、複数のリブ１３，１３，…を介して外周部１１に繋がっている。また、支持壁部２１は、上板部１２の下面に立設されている（図５の（ｂ）および（ｃ）参照）。すなわち、支持壁部２１は、その外周面と上端において枠部１に繋がっていて、枠部１の縮径に連動して縮径する。なお、支持壁部２１は、枠部１と一体に成形されている。また、支持壁部２１の内周面には、防滑部２２との接着性を高めるための凹凸が形成されている。
【００３９】
防滑部２２は、ネジ蓋Ｃ２の周面部Ｃ２２（図６の（ａ）参照）に当接する部位であり、支持壁部２１の内周面に密着している。防滑部２２の材質に制限はないが、ネジ蓋Ｃ２と防滑部２２との間で滑りが発生し難くなるような素材を選定することが好ましい。本実施形態では、支持壁部２１の素材よりも摩擦係数の大きいエラストマー（熱可塑性の樹脂素材）で防滑部２２を形成している。
【００４０】
防滑部２２を支持壁部２１に被着するには、ヘッドＢ１の枠部１、支持壁部２１およびアーム２Ｂ，２Ｂとなる射出成形品を成形した後、防滑部２２の素となるエラストマーを支持壁部２１の内周側に射出すればよい。なお、防滑部２２の素となる材料を支持壁部２１の内周面に塗着することで、防滑部２２を形成してもよいし、帯板状に成形されたゴム板等を接着、ネジ止め、嵌合等の手段により支持壁部２１の内周面に固定することで、防滑部２２を形成してもよい。
【００４１】
なお、防滑部２２は、省略してもよい。防滑部２２を省略した場合には、支持壁部２１の内周面に対し、摩擦係数を高めるための加工（エンボス加工やローレット加工など）を施すことが好ましい。
【００４２】
本実施形態の当接部２は、枠部１を縮径させたときにネジ蓋Ｃ２の周面部Ｃ２２（図７の（ａ）参照）に圧接する。すなわち、アームＢ２，Ｂ２を近接させる操作を行うと、枠部１の縮径に連動して当接部２の内径が小さくなり、当接部２が周面部Ｃ２２に接触した状態でアームＢ２，Ｂ２をさらに握りしめると、当接部２の内周面が周面部Ｃ２２に圧接するようになる。
【００４３】
頂面対向部３は、図３の（ａ）に示すように、枠部１に取り付けられる横架部３１と、横架部３１の中央部に形成された収容筒部３２と、収容筒部３２の上に形成された針固定部３３と、収容筒部３２に装着された保護カバー３４と、収容筒部３２内に収容された付勢手段３５（図４参照）と、枠部１のネジ穴１ａ，１ａに螺着されるネジ３６，３６と、ネジ３６の首部に装着されるスペーサ３７（図５の（ｂ）参照）を備えている。頂面対向部３のうち、横架部３１、収容筒部３２および針固定部３３は、熱可塑性の樹脂素材（例えば、ポリプロピレンなど）からなり、一つの射出成形品として製造される。
【００４４】
横架部３１は、中央開口部Ｖ１を跨ぐように配置され、ネジ３６，３６を利用して枠部１の上面に固定される。横架部３１の両端部には、ネジ挿通孔３ａ，３ｂが形成されている。一方のネジ挿通孔３ａは、ネジ穴１ａ，１ａを結ぶ方向を長軸とする長円形に成形されている。すなわち、ネジ挿通孔３ａは、長穴（ルーズホール）になっている。図４に示すように、横架部３１の下面には、補強リブ３ｅが形成されている。補強リブ３ｅは、収容筒部３２の開口周縁部を補強している。
【００４５】
収容筒部３２は、図５の（ｂ）に示すように、有蓋円筒状を呈しており、横架部３１の下面に開口している。収容筒部３２の下端部の内周面には、段部が形成されている。段部の内径は、その上の部位の内径に比べて僅かに小さくなっている。
【００４６】
針固定部３３は、収容筒部３２の上面から突出している。針固定部３３の中央部には、貫通孔３ｃが形成されている。貫通孔３ｃは、針固定部３３を上下に貫通している。
【００４７】
保護カバー３４は、針部４を覆うものであり、有底円筒状を呈している。保護カバー３４の上端部の外周面には、収容筒部３２の段部に係止される抜止部が突設されている。保護カバー３４の底部には、針挿通孔３ｄが形成されている。保護カバー３４は、収容筒部３２に没入可能であるが、付勢手段３５により下方向に付勢されているので、保護カバー３４に上向きの力が付与されていない状態では、収容筒部３２から突出した状態（保護カバー３４の抜止部が収容筒部３２の段部に係止された状態）が維持される。
【００４８】
付勢手段３５は、保護カバー３４を下向きに付勢するものであり、収容筒部３２の蓋部と保護カバー３４の底部との間に配置されている。付勢手段３５の種類に制限はないが、本実施形態では、コイルバネを使用している。
【００４９】
針部４は、頂面対向部３に設けられている。本実施形態の針部４は、下端部を先鋭に成形した金属製（例えば、ステンレス鋼、アルミニウム合金など）の管状部材からなる。針部４の上端部は、頂面対向部３の針固定部３３に保持されており、針部４の内部空間は、針固定部３３の貫通孔３ｃに通じている。針部４の上端部は、針固定部３３に圧入するか、あるいは、インサート成形によって針固定部３３に埋設する。針部４の下端部（先鋭部）は、横架部３１の下面から突出しているが、保護カバー３４に上向きの力が付与されていない状態では、保護カバー３４によって完全に囲繞されており、保護カバー３４から突出することはない。
【００５０】
掛止部５は、図３の（ａ）に示すように、枠部１の保持穴１ｂに挿入される胴部５１と、胴部５１の下に形成されたフック５２とを備えている。図５の（ｃ）に示すように、掛止部５は、上下に移動可能であり、掛止部５を上限まで移動させると、フック５２が保持穴１ｂに没入した状態となり、掛止部５を下方向に移動させると、フック５２が保持穴１ｂから突出した状態となる。掛止部５は、熱可塑性の樹脂素材（例えば、ポリプロピレンなど）からなり、一つの射出成形品として製造される。なお、図５の（ｃ）では、頂面対向部３の図示を省略している。
【００５１】
胴部５１は、保持穴１ｂ内を摺動可能である。胴部５１には、抜止めフック５４が形成されている。抜止めフック５４は、掛止部５の上方向への抜け出しを阻止するものであり、フック５２を保持穴１ｂ内に押し込んだ際に保持穴１ｂの開口縁部に当接する（図５の（ｃ）の左側参照）。胴部５１の上端部には、図３の（ａ）に示すように、フランジ５３が形成されている。フランジ５３は、掛止部５の下方向への抜け出しを阻止するものであり、胴部５１を保持穴１ｂ内に押し込んだ際に保持穴１ｂの開口縁部に当接する。
【００５２】
フック５２は、図５の（ｃ）にも示すように、断面Ｌ字状（鉤状）を呈している。保持穴１ｂに没入したフック５２を突出させる場合には、枠部１の上面から突出した胴部５１を保持穴１ｂに押し込めばよい。また、保持穴１ｂから突出したフック５２を没入させる場合には、枠部１の下面から突出したフック５２を保持穴１ｂに押し込めばよい。
【００５３】
第一ガイド溝６は、図５の（ａ）に示すように、外周部１１と支持壁部２１との間に形成された下面視円弧状の空間である。図４に示すように、二つの第一ガイド溝６，６は、リングＡの三つのガイド部Ａ２，Ａ２，Ａ２のうちの二つに対応するように配置されており、各第一ガイド溝６は、一つのガイド部Ａ２を挿入可能な形状に成形されている。第一ガイド溝６の円弧の半径は、ガイド部Ａ２の円弧の半径と略等しい。また、第一ガイド溝６の弧長は、ガイド部Ａ２の弧長よりも大きく、第一ガイド溝６の溝幅は、ガイド部Ａ２の厚さ寸法よりも大きい。
【００５４】
第二ガイド溝７は、外周部１１と支持壁部２１との間に形成された空間である。図５の（ｂ）に示すように、第二ガイド溝７，７は、アーム側開口部Ｖ２を挟んで両側に位置しており、各第二ガイド溝７の一端は、アーム側開口部Ｖ２に連通している。二つの第二ガイド溝７，７は、リングＡの三つのガイド部Ａ２，Ａ２，Ａ２（図４参照）のうちの一つに対応するように配置されている。一方の第二ガイド溝７は、一つのガイド部Ａ２の一端側を挿入可能な形状に成形されており、他方の第二ガイド溝７は、一方の第二ガイド溝７に挿入されたガイド部Ａ２の他端側を挿入可能な形状に成形されている。
【００５５】
＜開蓋用具セットの使用方法＞
開蓋用具セットの使用方法を説明する。
キャップオープナーＢ（図１等参照）の使用者がネジ蓋Ｃ２を取り外す際には、図６の（ａ）に示すように、まず、ヘッドＢ１をリングＡおよびネジ蓋Ｃ２の上に配置し、ガイド部Ａ２とキャップＣ２との間の空間Ｖ３に当接部２の下端部を挿入する。ガイド部Ａ２が空間Ｖ３に入り込むと、針部４がネジ蓋Ｃ２の略中央部に位置するようになり、かつ、ヘッドＢ１の横移動が規制された状態となる。なお、リングＡの三つのガイド部Ａ２，Ａ２，Ａ２のうち、二つのガイド部Ａ２，Ａ２の上端部は、第一ガイド溝６，６に入り込んだ状態となり、残り一つのガイド部Ａ２の上端部は、第二ガイド溝７，７（図４参照）に入り込んだ状態となる。
【００５６】
続いて、使用者は、ヘッドＢ１に対して下向きの力を付与する。使用者がヘッドＢ１に下向きの力を加えると、図６の（ｂ）に示すように、針部４が頂面部Ｃ２１を貫通し、ヘッドＢ１が下方向に移動するようになる。使用者がヘッドＢ１を下方向に移動させると、当接部２は、ガイド部Ａ２とネジ蓋Ｃ２との間に入り込んだ状態となり、ガイド部Ａ２は、その大部分が第一ガイド溝６および第二ガイド溝７に入り込んだ状態となる。このとき、保護カバー３４は、収容筒部３２に収容された状態となる。
【００５７】
針部４が頂面部Ｃ２１を貫通すると、容器Ｃ１内のガスが針部４の内部および貫通孔３ｃを通って外部に放出され、容器Ｃ１の内圧が減少する。
【００５８】
容器Ｃ１の内圧が解放されたら、使用者は、図１に示すアームＢ２，Ｂ２を握り締めて両者を近接させ、枠部１を縮径させる。使用者の握力で枠部１を縮径させると、枠部１の縮径に連動して当接部２が縮径し、図７の（ａ）に示すように、当接部２の防滑部２２がネジ蓋Ｃ２の周面部Ｃ２２に圧接するようになる。なお、頂面対向部３は、ネジ３６，３６によって枠部１に固定されているが、枠部１を縮径させたときには、ルーズホール（ネジ挿通孔３ａ）に挿通されたネジ３６が頂面対向部３の中央側に移動するので、頂面対向部３が枠部１の縮径を妨げることはない。
【００５９】
その後、使用者は、当接部２が周面部Ｃ２２に圧接した状態を維持しつつ、ネジ蓋Ｃ２を中心にしてアームＢ２，Ｂ２（図１参照）を旋回させ、当接部２を介してネジ蓋Ｃ２に回転トルクを付与する。なお、当接部２が周面部Ｃ２２に圧接した状態を維持する場合には、使用者が図１に示すアームＢ２，Ｂ２を継続して握り締めるか、あるいは、アームＢ２，Ｂ２を近接させた状態で図３に示すロック部材８ａを突起８ｂ，８ｂに掛止すればよい。
【００６０】
而して、ネジ蓋Ｃ２に対して所定値以上の回転トルクが付与されると、ネジ蓋Ｃ２の締付けが緩むので、図７の（ｂ）に示すように、使用者は、ネジ蓋Ｃ２を容器Ｃ１から容易に取り外すことができる。なお、ガイド部Ａ２が第一ガイド溝６および第二ガイド溝７に入り込んでいるので、リングＡは、ヘッドＢ１とともに回転する。
【００６１】
リングＡは、キャップオープナーＢ以外の手段（例えば、他の工具や人の手など）によるネジ蓋Ｃ２の開蓋を阻むために配置したものであるから、ネジ蓋Ｃ２を開蓋した後は、不要となる。
【００６２】
キャップオープナーＢ（図１等参照）の使用者がネジ蓋Ｃ２を取り外す際には、図８の（ａ）に示すように、まず、ヘッドＢ１をリングＡに被せる。掛止部５，５は、使用者による事前の操作によって下側に移動させておくか、あるいは、ヘッドＢ１をリングＡに被せた後に使用者の操作によって下側に移動させる。なお、図８においては、頂面対向部３の図示を省略している。
【００６３】
続いて、使用者は、アームＢ２，Ｂ２（図１参照）を握り締めて両者を近接させ、枠部１を縮径させる。使用者の握力で枠部１を縮径させると、これに連動して掛止部５，５がリングＡに向けて移動し、図８の（ｂ）に示すように、掛止部５のフック５２の先端部がリングＡのフランジ部Ａ１２の下側に入り込んだ状態（フック５２がリングＡに掛止された状態）となる。
【００６４】
かかる状態を維持しつつ、使用者がアームＢ２，Ｂ２を傾けると、リングＡの張出部Ａ３，Ａ３，…と容器Ｃ１との係合が解かれ、リングＡを容器Ｃ１から離脱する。
【００６５】
以上のとおり、本実施形態に係る開蓋用具セットによれば、使用者は、キャップオープナーＢ以外の手段（例えば、他の工具や素手など）による強引な開蓋を断念するようになる。すなわち、ネジ蓋Ｃ２の周囲にリングＡを装着しておけば、他の工具や素手ではネジ蓋Ｃ２を上手く把持することができなくなり、その結果、ネジ蓋Ｃ２に大きな回転トルクを付与し得なくなるので、キャップオープナーＢの使用が促され、キャップオープナーＢ以外の手段による開蓋を防ぐことができる。しかも、本実施形態においては、リングＡに張出部Ａ３，Ａ３，…を設け、張出部Ａ３，Ａ３，…を容器Ｃ１の口部に係合させたので、使用者がリングＡを故意に取り外そうとしない限り、リングＡが容器Ｃ１から脱落することはない。
【００６６】
また、本実施形態に係るキャップオープナーＢによれば、使用者が針部４をネジ蓋Ｃ２の頂面部Ｃ２１に貫入するだけで、容器Ｃ１の内圧を減圧することができる。また、リングＡのガイド部Ａ２とネジ蓋Ｃ２との間に当接部２が入り込むので、ヘッドＢ１がネジ蓋Ｃ２から脱落し難くなり、ひいては、使用者が針部４をネジ蓋Ｃ２の頂面部Ｃ２１に押し込む作業を安全且つスムーズに行うことが可能となる。また、アームＢ２を使用すれば、ネジ蓋Ｃ２に回転トルクを付与する際の力点がネジ蓋Ｃ２から離れた位置となるので、腕力の弱い使用者でも、ネジ蓋Ｃ２をスムーズに緩めることができる。
【００６７】
さらに、本実施形態に係るキャップオープナーＢによれば、掛止部５をリングＡの外周に掛止させることができるので、使用者は、役目を終えたリングＡを容易に取り外すことができる。容器Ｃ１からリングＡを取り外すことができれば、開蓋後の容器Ｃ１の使い勝手が向上し、さらに、容器Ｃ１の使用後においては、廃棄物の分別収集に対応し易くなり、ひいては、資源の有効活用（リサイクルやリユース）に貢献することが可能となる。
【００６８】
また、本実施形態に係るキャップオープナーＢによれば、使用者が一対のアームＢ２，Ｂ２を握り締めるだけで、当接部２をネジ蓋Ｃ２に圧接することができる。すなわち、キャップオープナーＢによれば、使用者が一対のアームＢ２，Ｂ２を近接させるだけで、当接部２をネジ蓋Ｃ２に圧接させるための押圧力が発生するので、クランプ機構などが不要となり、ひいては、低コスト化を実現することが可能となる。
【００６９】
本実施形態では、リングＡが容器Ｃ１の口部に装着されている場合を例示したが、ネジ蓋Ｃ２に装着されたリングでも、キャップオープナーＢ以外の手段による開蓋を阻むことができる。なお、リングは、ネジ蓋Ｃ２に対して回転自在であることが好ましい。リングが空転すれば、使用者がリングを回転させても、ネジ蓋Ｃ２に回転トルクが作用しない。
【００７０】
なお、本実施形態では、リングＡが装着された容器Ｃ１のネジ蓋Ｃ２に対してキャップオープナーＢを適用した場合を例示したが、キャップオープナーＢは、リングＡが装着されていない場合においても使用することができる。
【００７１】
本実施形態では、ヘッドＢ１の当接部２をネジ蓋Ｃ２の周面部Ｃ２２に圧接し、摩擦力を介して回転トルクをネジ蓋Ｃ２に付与する場合を例示したが、当接部２を周面部Ｃ２２に係合させることで、回転トルクをネジ蓋Ｃ２に付与してもよい。例えば、ネジ蓋Ｃ２の周面部Ｃ２２に凹凸が形成されている場合には、当該凹凸に係合可能な凹凸を当接部２に設ければよい。このようにすると、周面部Ｃ２の凹凸と当接部２の凹凸との噛み合わせにより、回転トルクがネジ蓋Ｃ２に付与されるようになる。
【００７２】
また、本実施形態では、当接部２をネジ蓋Ｃ２に圧接するための押圧力を一対のアームＢ２，Ｂ２によって発生させる場合を例示したが、図示せぬクランプ等によって押圧力を発生させてもよい。この場合、アームＢ２は、一つでもよい。
【符号の説明】
【００７３】
Ａ  リング
Ａ１  円筒部
Ａ２  ガイド部
Ａ３  張出部
Ｂ  キャップオープナー
Ｂ１    ヘッド
１      枠部
２      当接部
３      頂面対向部
４      針部
５      掛止部
Ｂ２    アーム
Ｃ１    容器
Ｃ２    ネジ蓋
Ｃ２１  頂面部
Ｃ２２  周面部
【図１】
0005859551.tif 000002
【図２】
0005859551.tif 000003
【図３】
0005859551.tif 000004
【図４】
0005859551.tif 000005
【図５】
0005859551.tif 000006
【図６】
0005859551.tif 000007
【図７】
0005859551.tif 000008
【図８】
0005859551.tif 000009